(57)【要約】  【課題】表示すべき複数の表示項目の配列態様に応じたスクロールを可能にする表示制御装置及び方法を提供すること。  【解決手段】カテゴリ毎にグループ化されて配列された複数の表示項目のそれぞれに対して通し番号を対応付けて管理する画面状態テーブルと、各カテゴリの先頭に位置する表示項目に対応する通し番号を前記画面状態テーブルから抽出してスクロール位置テーブルに登録するスクロール位置登録手段２３０と、スクロール操作により前記スクロール位置テーブルに登録された通し番号を指定するスクロール位置指定手段と、前記スクロール位置指定手段にて指定された通し番号から予め定めた１画面内表示項目数分の各通し番号に前記画面状態テーブルにおいて対応付けられた表示項目を前記通し番号の順序に従って表示画面に表示させる画面表示制御手段２３０とを有する構成となる。【選択図】  図４
2005151313.tif 000002
【特許請求の範囲】
【請求項１】
カテゴリ毎にグループ化されて配列された複数の表示項目のそれぞれに対して通し番号を対応付けて管理する画面状態テーブルと、
各カテゴリの先頭に位置する表示項目に対応する通し番号を前記画面状態テーブルから抽出してスクロール位置テーブルに登録するスクロール位置登録手段と、
スクロール操作により前記スクロール位置テーブルに登録された通し番号を指定するスクロール位置指定手段と、
前記スクロール位置指定手段にて指定された通し番号から予め定めた１画面内表示項目数分の各通し番号に前記画面状態テーブルにおいて対応付けられた表示項目を前記通し番号の順序に従って表示画面に表示させる画面表示制御手段とを有することを特徴とする表示制御装置。
【請求項２】
前記スクロール位置登録手段は、前記１画面内表示項目数を超える数の表示項目が属するカテゴリについては、前記カテゴリの先頭に位置する表示項目に対応する通し番号に加えて前記１画面内表示項目数おきの通し番号を前記画面状態テーブルから抽出して前記スクロール位置テーブルに登録することを特徴とする請求項１記載の表示制御装置。
【請求項３】
前記スクロール位置登録手段は、表示項目の総数が前記１画面内表示項目以下となる場合、先頭のカテゴリの先頭に位置する表示項目に対応する通し番号だけを前記スクロール位置テーブルに登録することを特徴とする請求項１または２記載の表示制御装置。
【請求項４】
前記スクロール位置登録手段は、前記カテゴリの先頭に位置する表示項目の通し番号が、表示項目総数から前記１画面内表示項目数を差し引き更に１を加えた数として定義される最大値を超える場合、前記カテゴリの先頭に位置する表示項目の通し番号に代えて前記最大値を前記スクロール位置テーブルに登録することを特徴とする請求項１乃至３のいずれかに記載の表示制御装置。
【請求項５】
カテゴリ毎にグループ化されて配列された複数の表示項目のそれぞれに対して通し番号を対応付けて管理する画面状態テーブルから、各カテゴリの先頭に位置する表示項目に対応する通し番号を抽出してスクロール位置テーブルに登録するスクロール位置登録ステップと、
スクロール操作により前記スクロール位置テーブルに登録された通し番号を指定するスクロール位置指定ステップと、
前記スクロール位置指定ステップにて指定された通し番号から予め定めた１画面内表示項目数分の各通し番号に前記画面状態テーブルにおいて対応付けられた表示項目を前記通し番号の順序に従って表示画面に表示させる画面表示制御ステップとを有することを特徴とする表示制御方法。
【請求項６】
前記スクロール位置登録ステップは、前記１画面内表示項目数を超える数の表示項目が属するカテゴリについては、前記カテゴリの先頭に位置する表示項目に対応する通し番号に加えて前記１画面内表示項目数おきの通し番号を前記画面状態テーブルから抽出して前記スクロール位置テーブルに登録することを特徴とする請求項５記載の表示制御方法。
【請求項７】
複数の入力放送素材が入力する複数の入力端子と、複数の放送出力列に割り当てられた複数の出力端子とを有し、前記複数の入力放送素材を前記複数の放送出力列に切替え提供するスイッチャと、前記複数の入力放送素材を表す複数の入力素材項目と前記複数の放送出力列を表す複数の出力項目とを縦方向及び横方向に２次元的に表示すると共に前記複数の入力放送素材とそれらが提供される前記複数の放送出力列との関係を表示する表示画面とを備えた放送管理システムであって、
カテゴリ毎にグループ化されて配列された前記複数の入力素材項目のそれぞれに対して入力通し番号を対応付けて管理する入力画面状態テーブルと、
各カテゴリの先頭に位置する入力素材項目に対応する入力通し番号を前記入力画面状態テーブルから抽出して入力側スクロール位置テーブルに登録する入力側スクロール位置登録手段と、
前記表示画面上での前記複数の入力素材項目の配列方向に関する入力側スクロール操作により前記入力側スクロール位置テーブルに登録された入力通し番号を指定する入力側スクロール位置指定手段と、
前記入力側スクロール位置指定手段にて指定された入力通し番号から予め定めた１画面内入力素材項目数分の各入力通し番号に前記入力画面状態テーブルにおいて対応付けられた入力素材項目を前記入力通し番号の順序に従って前記表示画面に表示させる入力素材項目画面表示制御手段とを有することを特徴とする放送管理システム。
【請求項８】
前記入力側スクロール位置登録手段は、前記１画面内表示入力素材項目数を超える数の入力素材項目が属するカテゴリについては、前記カテゴリの先頭に位置する入力素材項目に対応する入力通し番号に加えて前記１画面内入力素材項目数おきの入力通し番号を前記入力画面状態テーブルから抽出して前記入力側スクロール位置テーブルに登録することを特徴とする請求項７記載の放送管理システム。
【請求項９】
前記入力側スクロール位置登録手段は、前記カテゴリの先頭に位置する入力素材項目の入力通し番号が、入力素材項目総数から前記１画面内表示入力素材項目数を差し引き更に１を加えた数として定義される入力側スクロール最大値を超える場合、前記カテゴリの先頭に位置する入力素材項目の入力通し番号に代えて前記入力側スクロール最大値を前記入力側スクロール位置テーブルに登録することを特徴とする請求項７または８記載の放送管理システム。
【請求項１０】
複数の入力放送素材が入力する複数の入力端子と、複数の放送出力列に割り当てられた複数の出力端子とを有し、前記複数の入力放送素材を前記複数の放送出力列に切替え提供するスイッチャと、前記複数の入力放送素材を表す複数の入力素材項目と前記複数の放送出力列を表す複数の出力項目とを縦方向及び横方向に２次元的に表示すると共に前記複数の入力放送素材とそれらが提供される前記複数の放送出力列との関係を表示する表示画面とを備えた放送管理システムであって、
カテゴリ毎にグループ化されて配列された前記複数の出力項目のそれぞれに対して出力通し番号を対応付けて管理する出力画面状態テーブルと、
各カテゴリの先頭に位置する出力項目に対応する出力通し番号を前記出力画面状態テーブルから抽出して出力側スクロール位置テーブルに登録する出力側スクロール位置登録手段と、
前記表示画面上での前記複数の出力項目の配列方向に関する出力側スクロール操作により前記出力側スクロール位置テーブルに登録された出力通し番号を指定する出力側スクロール位置指定手段と、
前記出力側スクロール位置指定手段にて指定された出力通し番号から予め定めた１画面内出力項目数分の各出力通し番号に前記出力画面状態テーブルにおいて対応付けられた出力項目を前記出力通し番号の順序に従って前記表示画面に表示させる出力項目画面表示制御手段とを有することを特徴とする放送管理システム。
【請求項１１】
カテゴリ毎にグループ化されて配列された前記複数の出力項目のそれぞれに対して出力通し番号を対応付けて管理する出力画面状態テーブルと、
各カテゴリの先頭に位置する出力項目に対応する出力通し番号を前記出力画面状態テーブルから抽出して出力側スクロール位置テーブルに登録する出力側スクロール位置登録手段と、
前記表示画面上での前記複数の出力項目の配列方向に関する出力側スクロール操作により前記出力側スクロール位置テーブルに登録された出力通し番号を指定する出力側スクロール位置指定手段と、
前記出力側スクロール位置指定手段にて指定された出力通し番号から予め定めた１画面内出力項目数分の各出力通し番号に前記出力画面状態テーブルにおいて対応付けられた出力項目を前記出力通し番号の順序に従って前記表示画面に表示させる出力項目画面表示制御手段とを有することを特徴とする請求項７乃至９のいずれかに記載の放送管理システム。
【請求項１２】
前記出力側スクロール位置登録手段は、前記１画面内表示出力項目数を超える数の出力項目が属するカテゴリについては、前記カテゴリの先頭に位置する出力項目に対応する出力通し番号に加えて前記１画面内出力項目数おきの出力通し番号を前記出力画面状態テーブルから抽出して前記出力側スクロール位置テーブルに登録することを特徴とする請求項１０または１１記載の放送管理システム。
【請求項１３】
前記出力側スクロール位置登録手段は、前記カテゴリの先頭に位置する出力項目の出力通し番号が、出力項目総数から前記１画面内表示出力項目数を差し引き更に１を加えた数として定義される出力側スクロール最大値を超える場合、前記カテゴリの先頭に位置する出力項目の出力通し番号に代えて前記出力側スクロール最大値を前記出力側スクロール位置テーブルに登録することを特徴とする請求項１０乃至１２のいずれかに記載の放送管理システム。
【請求項１４】
前記入力画面状態テーブルは、各入力放送素材が実際に入力する前記スイッチャの入力端子を表す入力実結線番号を前記入力通し番号に対応付けており、
前記出力画面状態テーブルは、各放送出力列が実際に割り当てられた前記スイッチャの出力端子を表す出力実結線番号を前記出力通し番号に対応付けており、
更に、前記スイッチャにおける入力端子と出力端子との結線関係を前記入力結線番号と前記出力結線番号との対応関係として表すタリー情報を保持する手段と、
前記入力画面情報テーブル、前記出力画面情報テーブル及びタリー情報に基づいて、複数の入力放送素材を表す複数の入力素材項目及び複数の放送出力列を表す複数の出力項目が縦方向及び横方向に２次元的に表示される前記表示画面に、各放送出力列と各放送出力列に実際に提供されている入力放送素材との関係を表すマトリクス表示をさせる第一のマトリクス表示制御手段とを有することを特徴とする請求項１１記載の放送管理システム。
【請求項１５】
前記入力画面状態テーブルは、各入力放送素材が実際に入力する前記スイッチャの入力端子を表す入力実結線番号を前記入力通し番号に対応付けており、
前記出力画面状態テーブルは、各放送出力列が実際に割り当てられた前記スイッチャの出力端子を表す出力実結線番号を前記出力通し番号に対応付けており、
更に、前記スイッチャにおける入力端子と出力端子との結線関係を前記入力結線番号と前記出力結線番号との対応関係として表すタリー情報を保持する手段と、
前記表示画面に表示される出力項目が選択されたときに、前記入力画面情報テーブル、前記出力画面情報テーブル及びタリー情報に基づいて、選択された前記出力項目により表される放送出力列に実際に提供される入力放送素材を表す入力素材項目の配列される全ての入力素材項目内での相対的位置を表すマークを前記表示画面に表示させる入力素材位置表示制御手段とを有することを特徴とする請求項１１記載の放送管理システム。
【請求項１６】
前記入力画面状態テーブルは、各入力放送素材が実際に入力する前記スイッチャの入力端子を表す入力実結線番号を前記入力通し番号に対応付けており、
前記出力画面状態テーブルは、各放送出力列が実際に割り当てられた前記スイッチャの出力端子を表す出力実結線番号を前記出力通し番号に対応付けており、
更に、前記スイッチャにおける入力端子と出力端子との結線関係を前記入力結線番号と前記出力結線番号との対応関係として表すタリー情報を保持する手段と、
前記表示画面に表示される入力素材項目が選択されたときに、前記入力画面情報テーブル、前記出力画面情報テーブル及びタリー情報に基づいて、選択された前記入力素材項目により表される入力放送素材が実際に提供される放送出力列を表す出力項目の配列される全ての出力項目内での相対的位置を表すマークを前記表示画面に表示させる出力サービス位置表示制御手段とを有することを特徴とする請求項１１記載の放送管理システム。
【発明の詳細な説明】
【技術分野】
【０００１】
本発明は、複数の項目を表示画面に表示させるための表示制御装置及びその方法に関し、また、そのような表示制御装置を用いた放送管理システムに関する。
【背景技術】
【０００２】
表示画面上にデータを表示する際に煩雑なスクロール操作を行うことなく、速やかに希望のデータを表示画面上に表示し得るデータ表示方法が提案されている（例えば、特許文献１）。この従来のデータ表示方法では、表示対象データを表示画面に表示可能なデータ量毎に仕切り、表示対象データ内における各仕切られたデータの先頭位置を算出し、この各仕切られたデータ対して通番を付している。そして、これら通番をインデックス情報としてウィンドウ上に表示し、インデックス情報で指定される通番に対応する仕切られたデータをウィンドウのデータ表示領域に表示している。このようなデータ表示方法によれば、ウィンドウ上でインデックス情報によって通番を指定することにより、表示対象データに含まれる仕切られたデータを、その仕切られたデータが表示対象データのどこに含まれるものであっても、即座にウィンドウのデータ表示領域に表示できるようになる。
【特許文献１】特開２００３−５８２９４号公報
【発明の開示】
【発明が解決しようとする課題】
【０００３】
しかし、前述した従来のデータ表示方法では、スクロールの単位は、常に表示画面に表示可能なデータ量であり、１画面ずつのスクロールしかできない。このため、複数の表示項目を画面表示する場合に、その表示すべき表示項目の配列態様に応じたスクロールをすることができない。
【０００４】
本発明は、このような従来の問題点を解決するためになされたもので、表示すべき複数の表示項目の配列態様に応じたスクロールを可能にする表示制御装置及び方法、更に、そのような表示制御装置を用いた放送マスターシステムを提供するものである。
【課題を解決するための手段】
【０００５】
本発明に係る表示制御装置は、カテゴリ毎にグループ化されて配列された複数の表示項目のそれぞれに対して通し番号を対応付けて管理する画面状態テーブルと、各カテゴリの先頭に位置する表示項目に対応する通し番号を前記画面状態テーブルから抽出してスクロール位置テーブルに登録するスクロール位置登録手段と、スクロール操作により前記スクロール位置テーブルに登録された通し番号を指定するスクロール位置指定手段と、前記スクロール位置指定手段にて指定された通し番号から予め定めた１画面内表示項目数分の各通し番号に前記画面状態テーブルにおいて対応付けられた表示項目を前記通し番号の順序に従って表示画面に表示させる画面表示制御手段とを有する構成となる。
【０００６】
このような構成により、スクロール操作がなされると、常に、画面状態テーブルにて管理されるカテゴリの先頭に位置する表示項目から前記画面状態テーブルでの通し番号の順番に従って複数の表示項目が表示されることとなる。即ち、カテゴリに属する表示項目数ずつのスクロールがなされる。
【０００７】
また、本発明に係る表示制御装置は、前記スクロール位置登録手段が、前記１画面内表示項目数を超える数の表示項目が属するカテゴリについては、前記カテゴリの先頭に位置する表示項目に対応する通し番号に加えて前記１画面内表示項目数おきの通し番号を前記画面状態テーブルから抽出して前記スクロール位置テーブルに登録する構成とすることができる。
【０００８】
このような構成により、前記１画面内表示項目数を超える数の表示項目が属するカテゴリについては、そのカテゴリの先頭に位置する表示項目から始まる複数の表示項目が表示された状態で、スクロール操作がなされると、１画面内表示項目数ずつのスクロールがなされる。
【０００９】
更に、本発明に係る表示制御装置は、前記スクロール位置登録手段が、表示項目の総数が前記１画面内表示項目以下となる場合、先頭のカテゴリの先頭に位置する表示項目に対応する通し番号だけを前記スクロール位置テーブルに登録する構成とすることができる。
【００１０】
このような構成により、スクロールをすることなく全てのカテゴリに属する全ての表示項目を表示画面に表示できる場合に、スクロール位置テーブルへの前記通し番号の無駄な登録を防止することができる。
【００１１】
また、本発明に係る表示制御装置は、前記スクロール位置登録手段が、前記カテゴリの先頭に位置する表示項目の通し番号が、表示項目総数から前記１画面内表示項目数を差し引き更に１を加えた数として定義される最大値を超える場合、前記カテゴリの先頭に位置する表示項目の通し番号に代えて前記最大値を前記スクロール位置テーブルに登録する構成とすることができる。
【００１２】
このような構成により、配列された全表示項目の終端に位置する表示項目が常に表示画面の終端に位置するようになり、前記終端の表示項目が最終画面の中途に位置することがなく、表示画面を無駄なく表示項目の表示に利用することができる。
【００１３】
本発明に係る表示制御方法は、カテゴリ毎にグループ化されて配列された複数の表示項目のそれぞれに対して通し番号を対応付けて管理する画面状態テーブルから、各カテゴリの先頭に位置する表示項目に対応する通し番号を抽出してスクロール位置テーブルに登録するスクロール位置登録ステップと、スクロール操作により前記スクロール位置テーブルに登録された通し番号を指定するスクロール位置指定ステップと、前記スクロール位置指定ステップにて指定された通し番号から予め定めた１画面内表示項目数分の各通し番号に前記画面状態テーブルにおいて対応付けられた表示項目を前記通し番号の順序に従って表示画面に表示させる画面表示制御ステップとを有する構成となる。
【００１４】
また、本発明に係る表示制御方法は、前記スクロール位置登録ステップが、前記１画面内表示項目数を超える数の表示項目が属するカテゴリについては、前記カテゴリの先頭に位置する表示項目に対応する通し番号に加えて前記１画面内表示項目数おきの通し番号を前記画面状態テーブルから抽出して前記スクロール位置テーブルに登録する構成とすることができる。
【００１５】
本発明に係る放送マスターシステムは、複数の入力放送素材が入力する複数の入力端子と、複数の放送出力列に割り当てられた複数の出力端子とを有し、前記複数の入力放送素材を前記複数の放送出力列に切替え提供するスイッチャと、前記複数の入力放送素材を表す複数の入力素材項目と前記複数の放送出力列を表す複数の出力項目とを縦方向及び横方向に２次元的に表示すると共に前記複数の入力放送素材とそれらが提供される前記複数の放送出力列との関係を表示する表示画面とを備えた放送管理システムであって、カテゴリ毎にグループ化されて配列された前記複数の入力素材項目のそれぞれに対して入力通し番号を対応付けて管理する入力画面状態テーブルと、各カテゴリの先頭に位置する入力素材項目に対応する入力通し番号を前記入力画面状態テーブルから抽出して入力側スクロール位置テーブルに登録する入力側スクロール位置登録手段と、前記表示画面上での前記複数の入力素材項目の配列方向に関する入力側スクロール操作により前記入力側スクロール位置テーブルに登録された入力通し番号を指定する入力側スクロール位置指定手段と、前記入力側スクロール位置指定手段にて指定された入力通し番号から予め定めた１画面内入力素材項目数分の各入力通し番号に前記入力画面状態テーブルにおいて対応付けられた入力素材項目を前記入力通し番号の順序に従って前記表示画面に表示させる入力素材項目画面表示制御手段とを有する構成となる。
【００１６】
このような構成により、スクロール操作がなされると、常に、入力画面状態テーブルにて管理されるカテゴリの先頭に位置する入力素材項目から前記入力画面状態テーブルでの入力通し番号の順番に従って複数の入力素材項目が表示されることとなる。即ち、カテゴリに属する入力素材項目数ずつのスクロールがなされる。
【００１７】
また、本発明に係る放送管理システムは、前記入力側スクロール位置登録手段が、前記１画面内表示入力素材項目数を超える数の入力素材項目が属するカテゴリについては、前記カテゴリの先頭に位置する入力素材項目に対応する入力通し番号に加えて前記１画面内入力素材項目数おきの入力通し番号を前記入力画面状態テーブルから抽出して前記入力側スクロール位置テーブルに登録する構成とすることができる。
【００１８】
このような構成により、前記１画面内表示入力素材項目数を超える数の入力像素材項目が属するカテゴリについては、そのカテゴリの先頭に位置する入力素材項目から始まる複数の入力素材項目が表示さえた状態で、スクロール操作がなされると、１画面内表示入力素材項目数ずつのスクロールがなされる。
【００１９】
更に、本発明に係る放送管理システムは、前記入力側スクロール位置登録手段が、前記カテゴリの先頭に位置する入力素材項目の入力通し番号が、入力素材項目総数から前記１画面内表示入力素材項目数を差し引き更に１を加えた数として定義される入力側スクロール最大値を超える場合、前記カテゴリの先頭に位置する入力素材項目の入力通し番号に代えて前記入力側スクロール最大値を前記入力側スクロール位置テーブルに登録する構成とすることができる。
【００２０】
このような構成により、配列された全入力素材項目の終端に位置する入力素材項目が常に表示画面の終端に位置するようになり、前記終端の入力素材項目が最終画面の中途に位置することがなく、表示画面を無駄なく入力素材項目の表示に利用することができる。
【００２１】
本発明に係る放送管理システムは、複数の入力放送素材が入力する複数の入力端子と、複数の放送出力列に割り当てられた複数の出力端子とを有し、前記複数の入力放送素材を前記複数の放送出力列に切替え提供するスイッチャと、前記複数の入力放送素材を表す複数の入力素材項目と前記複数の放送出力列を表す複数の出力項目とを縦方向及び横方向に２次元的に表示すると共に前記複数の入力放送素材とそれらが提供される前記複数の放送出力列との関係を表示する表示画面とを備えた放送管理システムであって、カテゴリ毎にグループ化されて配列された前記複数の出力項目のそれぞれに対して出力通し番号を対応付けて管理する出力画面状態テーブルと、各カテゴリの先頭に位置する出力項目に対応する出力通し番号を前記出力画面状態テーブルから抽出して出力側スクロール位置テーブルに登録する出力側スクロール位置登録手段と、前記表示画面上での前記複数の出力項目の配列方向に関する出力側スクロール操作により前記出力側スクロール位置テーブルに登録された出力通し番号を指定する出力側スクロール位置指定手段と、前記出力側スクロール位置指定手段にて指定された出力通し番号から予め定めた１画面内出力項目数分の各出力通し番号に前記出力画面状態テーブルにおいて対応付けられた出力項目を前記出力通し番号の順序に従って前記表示画面に表示させる出力項目画面表示制御手段とを有する構成となる。
【００２２】
このような構成により、スクロール操作がなされると、常に、出力画面状態テーブルにて管理されるカテゴリの先頭に位置する出力項目（放送出力列に対応）から前記出力画面状態テーブルでの出力通し番号の順番に従って複数の出力項目が表示されることとなる。即ち、カテゴリに属する出力項目数ずつのスクロールがなされる。
【００２３】
また、本発明に係る放送管理システムは、上述した入力素材項目に関するスクロール機能を有したシステムにおいて、カテゴリ毎にグループ化されて配列された前記複数の出力項目のそれぞれに対して出力通し番号を対応付けて管理する出力画面状態テーブルと、
【００２４】
各カテゴリの先頭に位置する出力項目に対応する出力通し番号を前記出力画面状態テーブルから抽出して出力側スクロール位置テーブルに登録する出力側スクロール位置登録手段と、前記表示画面上での前記複数の出力項目の配列方向に関する出力側スクロール操作により前記出力側スクロール位置テーブルに登録された出力通し番号を指定する出力側スクロール位置指定手段と、前記出力側スクロール位置指定手段にて指定された出力通し番号から予め定めた１画面内出力項目数分の各出力通し番号に前記出力画面状態テーブルにおいて対応付けられた出力項目を前記出力通し番号の順序に従って前記表示画面に表示させる出力項目画面表示制御手段とを有する構成とすることができる。
【００２５】
このような構成により、入力側スクロール操作がなされると、常に、カテゴリに属する入力素材項目数ずつのスクロールがなされると共に、出力側スクロール操作がなされると、カテゴリに属する出力項目数ずつのスクロールがなされる。
【００２６】
更に、本発明に係る放送管理システムは、前記出力側スクロール位置登録手段が、前記１画面内表示出力項目数を超える数の出力項目が属するカテゴリについては、前記カテゴリの先頭に位置する出力項目に対応する出力通し番号に加えて前記１画面内出力項目数おきの出力通し番号を前記出力画面状態テーブルから抽出して前記出力側スクロール位置テーブルに登録する構成とすることができる。
【００２７】
このような構成により、前記１画面内表示出力項目数を超える数の出力項目が属するカテゴリについては、そのカテゴリの先頭に位置する出力項目から始まる複数の出力項目が表示された状態で、スクロール操作がなされると、１画面内表示出力項目数ずつのスクロールがなされる。
【００２８】
また、本発明に係る放送管理システムは、前記出力側スクロール位置登録手段が、前記カテゴリの先頭に位置する出力項目の出力通し番号が、出力項目総数から前記１画面内表示出力項目数を差し引き更に１を加えた数として定義される出力側スクロール最大値を超える場合、前記カテゴリの先頭に位置する出力項目の出力通し番号に代えて前記出力側スクロール最大値を前記出力側スクロール位置テーブルに登録する構成とすることができる。
【００２９】
このような構成により、配列された全出力項目の終端に位置する出力項目が常に表示画面の終端に位置するようになり、前記終端の出力項目が最終画面の中途に位置することがなく、表示画面を無駄なく出力項目の表示に利用することができる。
【００３０】
本発明に係る放送管理システムは、前記入力画面状態テーブルが、各入力放送素材が実際に入力する前記スイッチャの入力端子を表す入力実結線番号を前記入力通し番号に対応付けており、前記出力画面状態テーブルが、各放送出力列が実際に割り当てられた前記スイッチャの出力端子を表す出力実結線番号を前記出力通し番号に対応付けており、更に、前記スイッチャにおける入力端子と出力端子との結線関係を前記入力結線番号と前記出力結線番号との対応関係として表すタリー情報を保持する手段と、前記入力画面情報テーブル、前記出力画面情報テーブル及びタリー情報に基づいて、複数の入力放送素材を表す複数の入力素材項目及び複数の放送出力列を表す複数の出力項目が縦方向及び横方向に２次元的に表示される前記表示画面に、各放送出力列と各放送出力列に実際に提供されている入力放送素材との関係を表すマトリクス表示をさせるマトリクス表示制御手段とを有する構成とすることができる。
【００３１】
このような構成により、複数の入力素材項目及び複数の出力項目が縦方向及び横方向に２次元的に表示される前記表示画面に、各出力項目に対応した放送出力列と各放送出力列に実際に提供されている入力放送素材に対応した入力素材項目との関係が表すマトリクス表示されることになるので、その表示により、オペレータは、表示画面に表示される各出力項目に対応した放送出力列にどのような入力放送素材が提供されているかを一目にして確認することができるようになる。
【００３２】
また、本発明に係る放送管理システムは、前記入力画面状態テーブルが、各入力放送素材が実際に入力する前記スイッチャの入力端子を表す入力実結線番号を前記入力通し番号に対応付けており、前記出力画面状態テーブルは、各放送出力列が実際に割り当てられた前記スイッチャの出力端子を表す出力実結線番号を前記出力通し番号に対応付けており、更に、前記スイッチャにおける入力端子と出力端子との結線関係を前記入力結線番号と前記出力結線番号との対応関係として表すタリー情報を保持する手段と、前記表示画面に表示される出力項目が選択されたときに、前記入力画面情報テーブル、前記出力画面情報テーブル及びタリー情報に基づいて、選択された前記出力項目により表される放送出力列に実際に提供される入力放送素材を表す入力素材項目の配列される全ての入力素材項目内での相対的位置を表すマークを前記表示画面に表示させる入力素材位置表示制御手段とを有する構成とすることができる。
【００３３】
このような構成により、前記表示画面に表示される出力項目が選択されたときに、選択された前記出力項目に対応する放送出力列に実際に提供される入力放送素材を表す入力素材項目の配列される全ての入力素材項目内での相対的位置を表すマークが前記表示画面に表示されるので、オペレータは、選択された前記出力項目に対応する放送出力列に実際に提供される入力放送素材を表す入力素材項目の配列される全ての入力素材項目内での相対的位置が一目にして確認できる。このため、現在の表示画面に表示されていない入力素材項目を確認するためのスクロールの方向をすばやく判断することができるようになる。
【００３４】
更に、本発明に係る放送管理システムは、前記入力画面状態テーブルが、各入力放送素材が実際に入力する前記スイッチャの入力端子を表す入力実結線番号を前記入力通し番号に対応付けており、前記出力画面状態テーブルが、各放送出力列が実際に割り当てられた前記スイッチャの出力端子を表す出力実結線番号を前記出力通し番号に対応付けており、更に、前記スイッチャにおける入力端子と出力端子との結線関係を前記入力結線番号と前記出力結線番号との対応関係として表すタリー情報を保持する手段と、前記表示画面に表示される入力素材項目が選択されたときに、前記入力画面情報テーブル、前記出力画面情報テーブル及びタリー情報に基づいて、選択された前記入力素材項目により表される入力放送素材が実際に提供される放送出力列を表す出力項目の配列される全ての出力項目内での相対的位置を表すマークを前記表示画面に表示させる出力サービス位置表示制御手段とを有する構成とすることができる。
【００３５】
このような構成により、前記表示画面に表示される入力素材項目が選択されたときに、選択された前記入力素材項目に対応した入力放送素材が実際に提供される放送出力列に対応した出力項目の配列される全ての出力項目内での相対的位置を表すマークが前記表示画面に表示されるので、オペレータは、選択された前記入力素材項目に対応した入力放送素材が実際に提供される放送出力列に対応した出力項目の配列される全ての出力項目内での相対的位置を一目にして確認できる。このため、現在の表示画面に表示されていない出力項目を確認するためのスクロールの方向をすばやく判断することができるようになる。
【発明の効果】
【００３６】
本発明に係る表示制御装置及び方法によれば、スクロール操作がなされると、常に、画面状態テーブルにて管理されるカテゴリの先頭に位置する表示項目から前記画面状態テーブルでの通し番号の順番に従って複数の表示項目が表示されることとなる。即ち、カテゴリに属する表示項目数ずつのスクロールがなされる。従って、カテゴリの配列及び各カテゴリ内における表示項目の配列に応じたスクロールが可能となり、表示すべき複数の表示項目の配列態様に応じたスクロールを可能にする表示制御装置及び方法を実現できるようになる。
【発明を実施するための最良の形態】
【００３７】
以下、本発明の実施の形態について、図面を用いて説明する。
【００３８】
本発明の実施の形態に係る表示制御装置が適用されるデジタル放送マスターシステムは、図１に示すように構成されている。
図１において、放送局に設置されるデジタル放送マスターシステム２００（放送管理システム）は、放送情報作成システム１００、自動運行制御装置（ＡＰＣ）２１０、データサーバ（ＤＳ）２１１、手動制御装置（ＴＰＣ）２２０、表示制御部２３０及び表示ユニット２３１を有している。放送情報作成システム１００は、放送すべき素材情報（映像、音声、テキスト等の素材情報（コンテンツ））を提供するための種々の素材ユニットを備えている。この素材ユニットとして、例えば、ネットからの映像音声素材を提供するネット素材ユニット１１１、スタジオからの映像音声素材を提供するスタジオ素材ユニット１１２、遠隔地から中継される映像音声素材を提供するリモート素材ユニット１１３、番組バンクからの映像音声素材を提供する番組バンク素材ユニット１１４、ＣＭバンクからの映像音声素材を提供するＣＭバンク素材ユニット１１５及びＶＴＲからの映像音声素材を提供するＶＴＲ素材ユニット１１６が含まれる。
【００３９】
放送情報作成システム１００は、更に、スイッチャ１２０、効果処理装置１３１、１３２（ＤＳＫ）、符号化装置（ＥＮＣ）１４１、１４２、ＳＩ送出装置１５１、データ放送送出装置１５２、字幕送出装置１５３、多重化装置（ＭＵＸ）１６０及びコンテンツ保護装置（ＲＭＰ）１７０を有している。スイッチャ１２０は、マトリクス状のスイッチであり、複数（例えば、１３６個）の入力端子と複数（例えば、１３６個）の出力端子を備え、各入力端子をいずれかの出力端子に接続切替する。素材ユニット１１１〜１１６からの複数の素材情報のそれぞれがスイッチャ１２０のいずれかの入力端子に入力している。前記複数の出力端子は適当数ずつに群分けされており、各群の出力端子が効果処理装置１３１、１３２のいずれかに接続されている。各効果処理装置１３１、１３２は、入力する素材情報に対して、所定の効果処理（例えば、フェードイン、フェードアウト、スーパーＯＮ／ＯＦＦ）を行う。各符号化装置１４１、１４２は、効果処理装置１３１、１３２のいずれかに接続され、その効果処理装置にて所定の効果処理のなされた素材情報を所定のアルゴリズム（例えば、ＭＰＥＧ２）に従って符号化し、符号化情報を出力する。
【００４０】
ＳＩ送出装置１５１は、電子番組表データを送出する。データ放送送出装置１５２は、データ放送用のデータを送出する。字幕送出装置１５３は、放送映像画面に挿入すべき文字データ（字幕）を送出する。多重化装置１６０は、符号化装置１４１、１４２のいずれかからの符号化情報と、ＳＩ送出装置１５１、データ放送送出装置１５２、字幕送出装置１５３から必要に応じて送出されるデータとを多重化して放送用符号化情報を出力する。コンテンツ保護装置１７０は、多重化装置１６０からの放送用符号化情報を所定のアルゴリズムに従って暗号化し、暗号化された放送用符号化情報を放送設備（図示略）に送出する。
【００４１】
放送局に設置された営放システム３００からは、各放送番組の運行（スケジュール）情報がデジタル放送マスターシステム２００に供給される。この各放送番組の運行情報は、データサーバ２１１に格納される。自動運行制御装置２１０は、データサーバ２１１より各放送番組の運行情報を受け取り、その運行情報に基づいて放送情報作成システム１００を制御する。具体的には、自動運行制御装置２１０は、前記運行情報に基づいてスイッチャ１２０の切替え制御を行う。その結果、その運行情報に沿って各放送番組を構成する素材情報がスイッチャ１２０の各出力端子から順次切替え出力され、その切替え出力される一連の素材情報に基づいた放送用符号化情報（暗号化済み）が放送情報作成システム１００から放送設備に送出される。
【００４２】
手動制御装置２２０は、オペレータによる入力ユニットの操作に基づいて放送情報作成システム１００におけるスイッチャ１２０の切替え制御を行なう。手動制御装置２２０は、表示ユニット２３１の表示制御を行なう表示制御部２３０に接続されている。表示ユニット２３１の表示画面には前記入力ユニットとしてのタッチパネルが備えられており、そのタッチパネルの操作に基づいた操作情報が表示制御部２３０から手動制御装置２２０に供給される。これにより、オペレータは、表示ユニット２３１の表示画面上に表示されるタッチパネルの操作を行って、緊急的あるいは臨時的に放送内容（放送すべき映像等の素材）を変更することが可能となる。
【００４３】
自動運行制御装置２１０及び手動運行制御装置２２０は、それぞれが切替え制御するスイッチャ１２０における入力端子と出力端子との結線関係を示す情報（タリー情報）を表示制御部２３０に提供する。表示制御部２３０は、例えば、図２に示すようなマトリクススイッチャ画面を表示ユニット２３１に表示させる。このマトリクススイッチャ画面は入力される入力放送素材（放送に供されるべき素材情報）と放送出力列との関係をマトリクス状に示す。
【００４４】
図２に示すマトリクススイッチャ画面は、マトリクス表示部２３１０、入力素材ボタン群２３２、水平スクロールボタン２３３ａ、２３３ｂ、放送出力列ボタン群２３４、垂直スクロールボタン２３５ａ、２３５ｂ、水平スクロールバー２３６及び垂直スクロールバー２３７を含む。入力素材ボタン群２３２は、例えば、１７種の入力放送素材情報に対応したボタンを含み、各ボタンには割り当てられた入力放送素材情報を表す入力素材項目（N1a、N1b、・・・等）が表示される。また、放送出力列ボタン群２３４は、例えば、１２種の放送出力列に対応したボタンを含み、各ボタンには放送出力列を表す出力項目（HD-V BASE、HD-V AUX、HD- SUP、・・・等）が表示される。マトリクス表示部２３１０は、各入力素材ボタンに対応した縦線と各放送出力列ボタンに対応した横線とによる格子画面となっている。各格子点（クロスポイント）は入力素材と放送出力列との対応関係を示し、前記タリー情報にて示されるスイッチャ１２０において実際に結線された入力端子と出力端子との対応関係に対応した入力素材とその入力素材が提供される放送出力列との関係を示す格子点上にはクロスポイントマーク（○印）が表示される。マトリクス表示部２３１０は、水平スクロールボタン２３３ａ、２３３ｂの操作による水平方向スクロール及び垂直スクロールボタン２３５ａ、２３５ｂの操作による垂直方向スクロールにより、スイッチャ１２０の入力端子数（例えば、１３６個）に対応した数の入力素材及びスイッチャの出力端子数（例えば、１３６個）に対応した数の放送出力列を表示し得る。
【００４５】
水平スクロールバー２３６は、設定された入力放送素材を表す入力素材項目の総数（入力総素材数）に対応した水平全体領域を表し、マトリクス表示部２３１０に現在表示される入力素材項目の前記水平全体領域内での表示領域を表す水平表示バー２３６ａと、現在選択されている出力項目（例えば、HD-V SUP）とその出力項目に対応した放送出力列に供給される入力放送素材に対応した入力素材項目（例えば、N2a）とのクロスポイントの前記水平全体領域内での位置を表す水平表示ポイント２３６ｂを含む。垂直スクロールバー２３７は、設定された放送出力列を表す出力項目の総数（出力総素材数）に対応した垂直全体領域を表し、マトリクス表示部２３１０に現在表示される出力項目の前記垂直全体領域内での表示領域を表す垂直表示バー２３７ａと、現在選択されている入力素材項目（例えば、N2a）とその入力素材項目に対応した入力放送素材が供給される各放送出力列に対応した出力項目（例えば、HD-V SUP、HD-A OL、・・・）とのクロスポイントの前記垂直全体領域内での位置を表す垂直表示ポイント２３７ｂ、２３７ｃ、２３７ｄ、２３７ｅを含む。例えば、図２において、水平スクロールバー２３６における水平表示ポイント２３６ｂは、マトリクス表示部２３１０におけるクロスポイントマーク２４０の水平全体領域内での位置を表し、垂直スクロールバー２３７における垂直表示ポイント２３７ｂ及び２３７ｃは、マトリクス表示部２３１０におけるクロスポイントマーク２４０及び２４１の垂直全体領域内での位置を表す。また、垂直スクロールバー２３７における他の垂直表示ポイント２３７ｄ、２３７ｅは、入力放送素材（例えば、N2a）が供給されている放送出力列に対応した現在表示されていない出力項目の垂直全体領域内での位置を表す。
【００４６】
このようなマトリクススイッチャ画面によれば、マトリクス表示部２３１０に表示されるクロスポイントマークにより、各放送出力列（放送番組）に現在提供されている入力放送素材（映像音声素材等）を一目にして確認することができる。また、水平スクロールバー２３６における水平表示バー２３６ａ及び垂直スクロールバー２３７における垂直表示バー２３７ａにより、マトリクス表示部２３１０に現在表示されている領域の全体領域内（入力総素材数及び出力総素材数で決まる）での位置を一目にして認識することもできる。更に、水平スクロールバー２３６における水平表示ポイント２３６ｂ及び垂直スクロールバー２３７における垂直表示ポイント２３７ｂ、２３７ｃにより、マトリクス表示部２３１０に現在表示されている各クロスポイントマークの全体領域内での位置を一目にして認識することができる。また、垂直スクロールバー２３７における他の垂直表示ポイント２３７ｄ、２３７ｅにより、表示はされていないが、選択された入力放送素材が供給されている放送出力列に対応した出力項目の全体流域内での位置を一目にして確認することができる。
【００４７】
図２に示すマトリクススイッチャ画面は、タッチパネルになっており、入力素材ボタン群２３２の各ボタン及び放送出力列ボタン群２３４の各ボタンのタッチ操作（選択操作）によってスイッチャ１２０における入力端子と出力端子との結線関係を切替えることができる。なお、放送出力列ボタン群２３４の各ボタンに対応してロックボタン（鍵マーク）が配置されており、通常、出力サービスボタン群２３４の各ボタンはロック状態（施錠状態鍵マーク）となっている。放送出力列を切替える場合には、新たに選択すべき放送出力列を表す出力項目の表示された放送出力列ボタンのロック状態をそれに対応するロックボタンを操作することにより解除しなければならない（解錠状態鍵マーク）。また、放送出力列ボタン群２３４の全てのボタンを一括的にロック状態する場合、一斉ロックボタン（施錠状態鍵マーク）を操作し、その全てのボタンのロック状態を一括的に解除する場合には、一斉ロック解除ボタン（解錠状態鍵マーク）を操作すればよい。
【００４８】
次に、前述したようなマトリクススイッチャ画面の表示制御について説明する。この表示制御に係る処理は、表示制御部２３０にてなされる。
【００４９】
設定された入力放送素材が複数のカテゴリに分類され、各カテゴリに属する入力放送素材を表す入力素材項目がカテゴリ毎にグループ化され、設定ファイルに格納される。また、設定された放送出力列も複数のカテゴリに分類され、各カテゴリに属する放送出力列を表す出力項目がカテゴリ毎にグループ化され、設定ファイルに格納される。このカテゴリ毎のグループ化の処理は、例えば、デジタル放送マスターシステム２００の最初の起動時及び設定ファイルの更新時にオペレータの操作に従ってなされる。なお、入力放送素材についてのカテゴリは、映像素材の内容、使用目的等に基づいて、また、放送出力列についてのカテゴリは、放送の内容、提供目的等に基づいて任意に設定することができる。
【００５０】
図４は、前述したようにカテゴリ毎にグループ化された入力素材項目及び出力項目の設定ファイルから画面状態テーブル、スクロール位置テーブル及びカテゴリ先頭テーブルの作成手法を概略的に示している。これら画面状態テーブル、スクロール位置テーブル及びカテゴリ先頭テーブルは、例えば、デジタル放送マスターシステム２００の起動時に作成される。なお、以下の説明において、入力素材項目及び出力項目を必要に応じて総括的に単に素材という。
【００５１】
図４において、設定ファイルにおいてカテゴリ毎にグループ化された素材を特定する情報（カテゴリ内No）が、カテゴリの順番（カテゴリNo＝１、２、３、４、・・・にて指定）に順次画面状態テーブルにコピーされる。これにより、画面状態テーブルにおいて、各素材について、通し番号NoとカテゴリNo及びカテゴリ内Noとが対応付けられる。このような画面状態テーブルは、入力素材項目及び出力項目のそれぞれについて作成される。
【００５２】
次いで、スクロールに際して画面（マトリクス表示部２３１０、入力素材ボタン群２３２及び放送出力列ボタン群２３４を含む画面領域）の先頭（縦方向であれば上端、横方向であれば左端）に位置すべき素材の画面状態テーブル上での通し番号Noがスクロール位置テーブルに登録される。また、各カテゴリの先頭素材の画面状態テーブル上での通し番号Noがカテゴリ先頭位置テーブルに登録される。このようにして画面状態テーブルからスクロール位置テーブル及びカテゴリ先頭テーブルが作成される。
【００５３】
前記画面状態テーブルは、具体的には、図５に示す手順に従って作成される。
【００５４】
図５において、設定ファイルにおける１番目のカテゴリＪ（＝１）に属する素材を特定する情報（カテゴリ内No）を画面状態テーブルの先頭（通し番号No＝１）から通し番号Noに対応付けて順番に登録する（Ｓ１）。次いで、カテゴリNo（Ｊ）を＋１だけインクリメントし（Ｓ２）、そのカテゴリNoで特定されるカテゴリが設定ファイルに存在するか否かを判定する（Ｓ３）。そのようなカテゴリが存在する場合（Ｓ３でＹＥＳ）、そのカテゴリに属する素材のカテゴリ内Noを画面状態テーブルの続きの通し番号Noに対応付けて順番に登録する（Ｓ４）。更に、カテゴリＮｏ（Ｊ）を＋１だけインクリメントし（Ｓ２）、前述した処理（Ｓ３、Ｓ４）と同様の処理を実行する。以下、カテゴリＮｏ（Ｊ）を＋１だけインクリメントする毎に前述した処理（Ｓ３、Ｓ４）と同様の処理を実行し、その過程で、設定ファイルにそのカテゴリNo（Ｊ）で特定されるカテゴリが存在しないとの判定がなされると（Ｓ３でＮＯ）、処理を終了する。
【００５５】
このような処理により、図４に示すように、通し番号Noと、各カテゴリの素材を特定するカテゴリNo及びカテゴリ内Noとが対応付けられた画面状態テーブルが作成される。
【００５６】
次に、前記スクロール位置テーブル及びカテゴリ先頭テーブルは、具体的には、図６及び図７に示す手順に従って作成される。
【００５７】
図６において、まず、画面状態テーブルに登録された素材の総数（Ｎ）を取得し、カテゴリを特定するカテゴリNoを「１」に初期化し（Ｊ＝１）、更に、スクロール位置の最大値ＭＡＸを計算する（Ｓ１１）。このスクロール位置の最大値ＭＡＸは、画面状態テーブルに登録された素材をその通し番号Noの順番に順次スクロールして表示していく際に、最終画面（マトリクス表示部２３１０）の先頭（縦方向であれば上端、横方向であれば左端）に位置する素材に対応する通し番号Noである。従って、前記最大値ＭＡＸは、
ＭＡＸ＝総素材数（Ｎ）−１画面内表示素材数（Ｈ）＋１
に従って計算される。
【００５８】
次に、取得された前記総素材数（Ｎ）がゼロであるか否かを判定し（Ｓ１２）、その総素材数（Ｎ）がゼロでなければ（Ｓ１２でＮＯ）、更に、その総素材数（Ｎ）が１画面内表示素材数（Ｈ）より少ないか否かを判定する（Ｓ１３）。図２に示す画面表示例の場合、入力側（映像素材）の１画面内表示素材数は１７（Ｈ＝１７）であり、出力側（出力サービス）の１画面内表示素材数は１２（Ｈ＝１２）である。
【００５９】
総素材数（Ｎ）が１画面内表示素材数（Ｈ）以上であれば（Ｓ１３でＮＯ）、画面状態テーブルを参照し、前記初期化されたカテゴリNo（Ｊ）＝１で特定されるカテゴリに属する素材数（＝４）と、そのカテゴリNo（Ｊ）＝１及びカテゴリ内No＝１に対応した通し番号Noを取得する（Ｓ１４）。この場合、通し番号No＝１が取得される。更に、取得した通し番号Noが前記スクロール位置の最大値ＭＡＸ以下であるか否かを判定し（Ｓ１５）、その通し番号Noが前記最大値ＭＡＸ以下であれば（Ｓ１５でＹＥＳ）、その取得した通し番号Noをスクロール位置テーブルの先頭に登録すると共に、カテゴリ先頭テーブルの先頭に登録する（Ｓ１６、Ｓ１７）。これにより、図４に示すように、カテゴリNo（Ｊ）＝１及びカテゴリ内No＝１に対応した画面状態テーブル上での通し番号No＝１がスクロール位置テーブル及びカテゴリ先頭位置テーブルのそれぞれの先頭に登録される。
【００６０】
次いで、図７において、カテゴリ内No（ｋ）を初期化（ｋ＝１）する（Ｓ１８）。そして、そのカテゴリ内Noに１画面内表示素材数（Ｈ）を加算した値（ｋ＋Ｈ）がカテゴリNo（Ｊ）＝１の素材数（＝４）以下であるか否かを判定する（Ｓ１９）。これは、カテゴリＪ（カテゴリNo＝１）に属する素材数（＝４）が１画面内表示素材数（Ｈ）より大きいか否か、即ち、カテゴリＪ（＝１）に属する全ての素材を１画面内で表示可能か否かを判定するものである。
【００６１】
前記カテゴリNoに１画面内表示素材数（Ｈ）を加算した値（ｋ＋Ｈ）がカテゴリＪ（カテゴリNo＝１）に属する素材数（＝４）を超えているとの判定がなされると（Ｓ１９でＮＯ）、カテゴリNo（Ｊ）を＋１だけインクリメントし、次のカテゴリNo（Ｊ）＝２が画面状態テーブルに存在するか否かを判定する（Ｓ２４）。そのカテゴリNo（Ｊ）＝２が存在するとの判定がなされると（Ｓ２４でＹＥＳ）、図６に示すステップＳ１４に戻って、画面状態テーブルを参照して、カテゴリNo（Ｊ）＝２で特定されるカテゴリに属する素材数（＝２０）と、そのカテゴリNo（Ｊ）＝２及びカテゴリ内No＝１に対応した通し番号を取得する（Ｓ１４）。この場合、通し番号No＝５が取得される。更に、その取得した通し番号Noが前記スクロール位置の最大値ＭＡＸ以下であるか否かを判定し（Ｓ１５）、その通し番号Noが前記最大値ＭＡＸ以下であれば（Ｓ１５でＹＥＳ）、その取得した通し番号Noをスクロール位置テーブルの先頭に登録すると共に、カテゴリ先頭テーブルの先頭に登録する（Ｓ１６、Ｓ１７）。これにより、図４に示すように、カテゴリNo（Ｊ）＝２及びカテゴリ内No＝１に対応した画面状態テーブル上での通し番号No＝５がスクロール位置テーブル及びカテゴリ先頭位置テーブルに登録される。
【００６２】
続いて前述したのと同様に、図７において、カテゴリ内No（ｋ）を初期化（ｋ＝１）し（Ｓ１８）。そのカテゴリ内Noに１画面内表示素材数（Ｈ）を加算した値（ｋ＋Ｈ）がカテゴリNo（Ｊ）＝２の素材数（＝２０）以下であるか否かを判定する（Ｓ１９）。例えば、１画面内表示素材数（Ｈ）が「１７」である場合、前記カテゴリ内Noに１画面内表示素材数（Ｈ）を加算した値（ｋ＋Ｈ＝１８）がカテゴリＪ（カテゴリNo＝２）に属する素材数（＝２０）以下であるとの判定がなされる（Ｓ１９でＹＥＳ）。この場合、更に、その値（ｋ＋Ｈ）が前記スクロール位置の最大値ＭＡＸ以下であるか否かを判定する（Ｓ２０）。そして、その値（ｋ＋Ｈ）が前記最大値ＭＡＸ以下であるとの判定がなされると（Ｓ２０でＹＥＳ）、カテゴリNo（Ｊ）＝２及びカテゴリ内No（ｋ＋Ｈ＝１８）に対応した画面状態テーブル上の通し番号No＝２２を前記スクロール位置テーブルの既に登録されている通し番号の続きに登録する（Ｓ２１）。これにより、図４に示すように、カテゴリNo（Ｊ）＝２及びカテゴリ内No＝１８に対応した画面状態テーブル上での通し番号No＝２２がスクロール位置テーブルに既に登録されている通し番号No＝５の続きに登録される。
【００６３】
前述したように通し番号Noの登録が終了すると、カテゴリ内No（ｋ）を＋Ｈ（１画面内表示素材数）だけインクリメントし（Ｓ２２）、前述した処理（Ｓ１９、Ｓ２０、Ｓ２１）と同様の処理を実行する。その過程で、新たなカテゴリ内No（ｋ）に１画面内表示素材数（Ｈ）を加算した値（ｋ＋Ｈ）がカテゴリNo（Ｊ）で特定されるカテゴリの素材数を超えると（Ｓ１９でＮＯ）、カテゴリNo（Ｊ）を＋１だけインクリメントし、次のカテゴリNo（Ｊ）が画像状態テーブルに存在するか否かを判定し（Ｓ２４）、そのカテゴリNo（Ｊ）が存在するとの判定がなされると（Ｓ２４でＹＥＳ）、図６に示すステップＳ１４に戻って、次のカテゴリに対して前述したのと同様の処理を行なう。そして、以後、カテゴリNo（Ｊ）をインクリメントする毎に、同様の処理を行なう。
【００６４】
その処理の過程で、カテゴリNo（Ｊ）及びそのカテゴリ内No＝１に対応した画面状態テーブル上の通し番号Noが前記スクロール位置の最大値ＭＡＸを超えると（Ｓ１５でＮＯ）、その最大値ＭＡＸをスクロール位置テーブルの既に登録された通し番号の続きに登録すると共に（Ｓ２８）、その最大値ＭＡＸをカテゴリ先頭位置テーブルの既に登録された通し番号の続きに登録して（Ｓ２９）、処理を終了する。
【００６５】
なお、画面状態テーブルの総素材数（Ｎ）が１画面内表示素材数（Ｎ）より少ない場合（Ｓ１３でＹＥＳ）、スクロールの必要がないことから、画面状態テーブルを参照して、初期化されたカテゴリNo（Ｊ）＝１の先頭素材に対する通し番号No＝１を取得する（Ｓ２５）。そして、その通し番号をスクロール位置テーブル及びカテゴリ先頭位置テーブルの先頭に登録する（Ｓ２６、Ｓ２７）。
【００６６】
また、図７に示す処理において、前記カテゴリ内Noに１画面内表示素材数（Ｈ）を加算した値（ｋ＋Ｈ）が前記スクロール位置の最大値ＭＡＸを超えると（Ｓ２０でＮＯ）、当該カテゴリについてのスクロール位置テーブルへの通し番号の登録処理を終えて、カテゴリNo（Ｊ）を＋１だけインクリメントする（Ｓ２３）。更に、インクリメントされたカテゴリNoが画面状態テーブルに存在しなければ（Ｓ２４でＮＯ）、全体の処理を終了する。
【００６７】
上述したような処理に従って作成されたスクロール位置テーブル及びカテゴリ先頭位置テーブル（図４参照）に従って図２に示すような画面のスクロールがなされる。なお、水平スクロールボタン２３３ａ、２３３ｂの操作に基づいた横方向のスクロールについての処理について説明するが、垂直スクロールボタン２３５ａ、２３５ｂの操作に基づいた縦方向のスクロールについての処理も同様になされる。
【００６８】
例えば、初期画面では、ポインタがスクロール位置テーブルの先頭位置を指示しており、カテゴリNo＝１で特定されるカテゴリに属する先頭素材（カテゴリ内No＝１）が画面の先頭（左端）に表示される。この状態では、図２に示す入力素材ボタン群２３２における１７個のボタンには、画面状態テーブルに通し番号No.１〜No.１７（１画面内表示素材数Ｈ＝１７）に対応して登録されている素材（カテゴリNo.１のカテゴリ内No.１〜No.４及びカテゴリNo.２のカテゴリ内No.１〜No.１３で特定される）を表す入力素材項目（例えば、素材名N1a、N1b、・・・等）が順番に表示され、マトリクス表示部２３１０の表示内容もそれに対応したものとなる。なお、表示すべき各素材（入力素材項目）を表す情報（素材名）は設定ファイルに予め格納されている。
【００６９】
右移動の水平スクロールボタン２３３ｂが操作されると、前記ポインタは、＋１だけ繰り上げられ、スクロール位置テーブルにおける次の位置を指示する。表示制御部２３０は、そのポインタの位置に対応するスクロール位置テーブルの値（画面状態テーブルにおける通し番号No＝５）を取得し、更に、画面状態テーブルにその値（通し番号No＝５）から１７個分（１画面内表示素材数）の通し番号No.５〜No.２１に対応して登録されている入力素材項目（カテゴリNo.２のカテゴリNo.１〜No.１７で特定される）を表示画面中の入力素材ボタン群２３２に順番に表示させ、マトリクス表示部２３１０の表示内容もそれに対応したものにする。これにより、入力素材ボタン群２３２の各ボタンの表示内容が、カテゴリNo.１のカテゴリ内No.１〜No.４及びカテゴリNo.２のカテゴリ内No.１〜No.１３で特定される入力素材項目（初期画面）からカテゴリNo.２のカテゴリNo.１〜No.１７で特定される入力素材項目に切替えられ、それに応じてマトリクス表示部２３１０の表示内容も切替えられる。この場合、表示画面は、カテゴリNo.１に属する入力素材項目の数分、即ち、４入力素材項目数分だけ右側にスクロールされることとなる。
【００７０】
更に、右移動の水平スクロールボタン２３３ｂが操作されると、前記ポインタは、更に＋１だけ繰り上げられ、スクロール位置テーブルにおける更に次の位置を指示する。表示制御部２３０が上述したのと同様の処理を行なう結果、前記ポインタの位置するスクロール位置テーブルの値（通し番号No.２２）に基づいて、画面状態テーブルにその値から１７個分の通し番号No.２２〜No.３８に対応して登録されている入力素材項目（カテゴリNo.２のカテゴリ内No.１８〜No.２０、カテゴリNo.３のカテゴリ内No.１〜No.３、カテゴリNo.４のカテゴリ内No.１〜No.５、・・・で特定される）が表示画面中の入力素材ボタン群２３２に順番に表示され、マトリクス表示部２３１０の表示内容もそれに対応したものとなる。これにより、入力素材ボタン群２３２の各ボタンの表示内容が、カテゴリNo.２のカテゴリNo.１〜No.１７で特定される入力素材項目からカテゴリNo.２のカテゴリ内No.１８〜No.２０、カテゴリNo.３のカテゴリ内No.１〜No.３、カテゴリNo.４のカテゴリ内No.１〜No.５、・・・で特定される入力素材項目に切替えられ、それに応じてマトリクス表示部２３１０の表示内容も切り替えられる。この場合、表示画面は、１画面内表示素材数、即ち、１７入力素材項目数分だけ右側にスクロールされることとなる。
【００７１】
通常、スクロール位置テーブルの終端位置には、スクロール位置の最大値ＭＡＸが格納されている（図６におけるＳ１５、Ｓ２８の処理参照）。従って、右移動の水平スクロールボタン２３３ｂを繰り返し操作して、前記ポインタがスクロール位置テーブルの終端位置を指示すると、表示制御部２３０は、前記最大値ＭＡＸに基づいて、画面状態テーブルにその最大値ＭＡＸから１７個分の通し番号に対応して登録されている入力素材項目を表示画面中の入力素材ボタン群２３２に順番に表示させ、マトリクス表示部２３１０の表示内容もそれに対応したものとする。前記最大値ＭＡＸは、前述したように、
ＭＡＸ＝総素材数（Ｎ）−１画面内表示素材数（Ｈ）＋１
で定義されているので、表示画面（最終画面）には、設定された全ての入力素材項目のうちの最終入力素材項目が表示画面の最終端（右端）に位置して、それから手前方向（左方向）に１７個分の入力素材項目が表示されることとなる。この場合、表示画面の先頭位置には、必ずしもカテゴリの先頭入力素材項目が位置するものとは限らない。
【００７２】
このような表示制御部２３０での処理により、１画面内表示素材数より少ない入力素材項目数のカテゴリの場合には、右移動スクロールボタン２３３ｂが操作される毎に、各カテゴリの先頭入力素材項目が画面の先頭位置に配置されるように表示画面がスクロールされる。また、１画面内表示素材数より多い入力素材項目数のカテゴリでは、そのカテゴリの最終入力素材項目が表示されるまで、右移動の水平スクロールボタン２３３ｂが操作される毎に、１画面内表示素材数分ずつ表示画面がスクロールされる。
【００７３】
これにより、オペレータは、右移動の水平スクロールボタン２３３ｂを操作する過程で、常に、表示画面の先頭位置からその表示内容を確認することで、各カテゴリに属する入力素材項目を見落とすことなく確認することができる。また、最終画面では、設定された全ての入力素材項目のうちの最終入力素材項目が最終端（右端）に位置して、それから手前方向（左方向）に１画面内素材数分の入力素材項目が表示されることとなるので、最終入力素材項目が最終画面の中途に位置することがなく、表示画面を無駄なく入力素材項目表示に利用することができる。
【００７４】
なお、左移動の水平スクロールボタン２３３ａが操作される場合については、水平スクロールボタン２３３ａが操作される毎に、前記ポインタは、−１ずつ繰り下げられ、そのポインタによって指示されるスクロール位置テーブルの値（画面状態テーブルでの通し番号No）に基づいて前述したのと同様の処理がなされる。その結果、表示画面は、前述した右方向のスクロールと同様に、左方向にスクロールする。
【００７５】
また、表示制御部２３０は、カテゴリ先頭位置テーブルと画面状態テーブルとを利用して、表示画面のスクロール制御を行なうこともできる。この場合、前述した画面スクロールと同様に、図３に示すような複数のカテゴリに割り当てられたカテゴリボタン群２３８のカテゴリボタン２３８ａが操作されると、ポインタの繰り上げまたは繰り下げがなされ、そのポインタによって指示されるカテゴリ先頭位置テーブルの値、即ち、各カテゴリの先頭素材を特定するカテゴリNo及びカテゴリ内No.１に対応した画面状態テーブルの通し番号Noから１画面内素材数分の素材が表示画面の先頭位置（左端または上端）から順番に表示される。これにより、カテゴリボタン２３８ａを操作することにより、常に、カテゴリの先頭素材が表示画面の先頭（左端または上端）に位置するように表示画面のスクロールを行なうことができる。従って、オペレータは、各カテゴリの素材をすばやく確認することができるようになる。
【００７６】
なお、図３に示すカテゴリボタンは、図２に示すマトリクススイッチャ画面内に設けられているものであっても、所定の操作（例えば、プルダウンメニューの選択操作）に応じて画面内に表れるものであってもよい。
【００７７】
次に、入力放送素材（映像素材）とその入力放送素材が実際に提供される放送出力列との関係をマトリクス表示部２３１０の格子点上に表すクロスポイントマーク（図２に示すマトリクス表示部２３１０内の○印参照）の表示制御について説明する。
【００７８】
図８は、前記クロスポイントマークの表示手法を概略的に示している。
【００７９】
図８において、入力素材項目及び出力項目のそれぞれについて前述した手法（図５参照）に従って作成された画面状態テーブルと、自動運行制御装置２１０または手動制御装置２２０から供給されるスイッチャ１２０における入力端子と出力端子の結線関係を表すタリー情報とに基づいて、マトリクス表示部２３１０上におけるクロスポイントマークの表示制御がなされる。
【００８０】
カテゴリ毎にグループ分けされた出力項目（素材）の設定ファイルは、その出力項目に対応した放送出力列が実際に割り当てられたスイッチャ１２０の出力端子を表す実結線番号を含む。また、カテゴリ毎にグループ分けされた入力素材項目（映像音声素材等を表す）の設定ファイルは、その入力素材項目に対応した入力放送素材が実際に入力されるスイッチャ１２０の入力端子を表す実結線番号を含んでいる。出力項目について作成された画面状態テーブルにおいて、各出力項目を特定する出力No（通し番号No）、カテゴリNo及びカテゴリ内Noとその出力項目に対応した放送出力列が割り当てられた前記実結線番号とが対応付けられており、入力素材項目について作成された画面状態テーブルにおいて、各入力素材項目を特定する入力No（通し番号No）、カテゴリNo及びカテゴリ内Noとその入力素材項目に対応入力放送素材の前記実結線番号とが対応付けられている。設定ファイルにおいて、各素材の属するカテゴリ（カテゴリNo）及びそのカテゴリ内での順番（カテゴリ内No）を自由に設定することができるので、放送出力列が実際に割り当てられたスイッチャ１２０の出力端子及び入力放送素材が実際に入力されるスイッチャ１２０の入力端子にかかわりなく、入力放送素材（映像音声情報等）と放送出力列との関係をマトリクス表示部２３１０に自由に表示することができるようになる。
【００８１】
マトリクス表示部２３１０においては、１出力項目（１放送出力列）に対して必ず１つのクロスポイントマークしか表示され得ない。即ち、１つの放送出力列（放送番組）に対して同時刻に２以上の入力放送素材を供給することはない。このため、表示画面において縦方向に並ぶ出力項目（出力サービスボタン群２３４の各ボタンに対応）を基準にして対応するタリー情報を検索し、更にそのタリー情報に対応した横方向に並ぶ入力素材項目が表示画面内にあれば、出力項目とその入力素材項目に対応したマトリクス表示部２３１０内の格子点にクロスポイントマークを表示する。
【００８２】
クロスポイントマークの表示制御は、具体的には、図９に示す手順に従ってなされる。図９に示す手順に従った処理は、前述したように表示画面のスクロールがなされる毎に表示制御部２３０にて実行される。
【００８３】
図９において、現在の表示画面における出力スクロール位置Ｘが取得され、出力Ｎoの値ｋが
ｋ＝現在の出力スクロール位置Ｘ
にて初期化される（Ｓ３１）。前記出力スクロール位置Ｘとは、現在の表示画面の先頭（上端）に位置する出力項目（放送出力列）の画面状態テーブルでの通し番号Noである。
【００８４】
また、現在の表示画面における入力スクロール位置Ｙが取得され、入力Noの値ｍが、
ｍ＝現在の入力スクロール位置Ｙ
にて初期化される（Ｓ３２）。前記入力スクロール位置Ｙとは、現在の表示画面の先頭（左端）に位置する入力素材項目（映像音声素材等）の画面状態テーブルでの通し番号Noである。
【００８５】
次いで、前記値ｋが（Ｘ＋Ｈ−１）以下であるか否かが判定される（Ｓ３３）。Ｘは現在の表示画面の縦方向先頭位置に対応し、Ｈは縦方向における１画面内表示素材数（例えば、１２）であるので、（Ｘ＋Ｈ−１）は、現在の表示画面の縦方向における終端位置に対応した値であり、画面状態テーブルでの通し番号Noで表される。前記値ｋが（Ｘ＋Ｈ−１）以下であるとの判定がなされた場合（Ｓ３３でＹＥＳ）、即ち、値ｋにて特定される縦方向位置（出力No）が当該表示画面に含まれる場合、出力項目についての画面状態テーブルから出力No.ｋで特定される出力項目に対応した放送出力列に割り当てられた実結線番号が取得される（Ｓ３４）。そして、タリー情報から、その取得された実結線番号に対応した入力放送素材についての実結線番号Ｚが取得される（Ｓ３５）。
【００８６】
次いで、前記値ｍが（Ｙ＋Ｇ−１）以下であるか否かが判定される（Ｓ３６）。Ｙは現在の表示画面での横方向先頭位置に対応し、Ｇは横方向における１画面内表示素材数（例えば、１７）であるので、（Ｙ＋Ｇ−１）は、現在の表示画面の横方向における終端位置に対応した値であり、画面状態テーブルでの通し番号Noで表される。前記値ｍが（Ｙ＋Ｇ−１）以下であるとの判定がなされた場合（Ｓ３６でＹＥＳ）、即ち、値ｍにて特定される横方向位置（入力No）が当該表示画面に含まれる場合、入力素材項目についての画面状態テーブルで通し番号No＝ｍで特定される入力素材項目に対応した入力素材の実結線番号が、前記取得された実結線番号Ｚに一致するか否かが判定される（Ｓ３７）。それらが一致しない場合（Ｓ３７でＮＯ）、前記値ｍを＋１だけインクリメントし（Ｓ３８）、即ち、入力Noを＋１だけずらして、前述したのと同様の処理（Ｓ３６、Ｓ３７）がなされる。
【００８７】
以後、値ｍを＋１だけインクリメントする毎に、前述したのと同様の処理（Ｓ３６、Ｓ３７）が実行される。その過程で、入力素材項目についての画面状態テーブルで通し番号No＝ｍで特定される入力素材項目に対応した入力放送素材の実結線番号が、前記取得された実結線番号Ｚに一致するとの判定がなされると（Ｓ３７でＹＥＳ）、マトリクス表示部２３１０における出力No＝ｋと入力No＝ｍで決まる格子点（ｋ，ｍ）にクロスポイントマークが表示される（Ｓ３９）。
【００８８】
そして、前記値ｋを＋１だけインクリメントし（Ｓ４０）、即ち、出力Noを＋１だけずらして、前述したのと同様の処理（Ｓ３３、Ｓ３４、Ｓ３５、Ｓ３６、Ｓ３７、Ｓ３８）がなされる。その過程で、出力項目についての画面状態テーブルから新たな値ｋにて特定される縦方向位置（出力No.k：図８における出力No.３）の出力項目に対応した出力サービスに割り当てられた実結線番号（図８における出力No.３に対応した実結線番号３）が取得され（Ｓ３４）、タリー情報から、その取得された実結線番号に対応した入力放送素材についての実結線番号Ｚ（図８におけるタリー情報における入力実結線番号６）が取得される（Ｓ３５）。そして、入力素材項目についての画面状態テーブルで通し番号No＝ｍで特定される入力素材項目に対応した入力放送素材の実結線番号が前記取得された実結線番号Ｚ（図８における入力実結線番号６）に一致すれば（Ｓ３７でＹＥＳ）、マトリクス表示部２３１０における新たな出力No＝ｋ（図８においてＮo.３）と入力No＝ｍ（図８においてNo.５）で決まる格子点（ｋ，ｍ）（図８において（３，５））にクロスポイントマークが表示される（Ｓ３９）。一方、前述した処理（Ｓ３３、Ｓ３４、Ｓ３５、Ｓ３６、Ｓ３７、Ｓ３８）の過程で、前記値ｍが（Ｙ＋Ｇ−１）を超えると（Ｓ３６でＮＯ）、即ち、表示画面における全ての入力Noについての処理が終了すると、前記値ｋが＋１だけインクリメントされ（Ｓ４０）、更に、同様の処理が継続される。
【００８９】
このような処理の過程で、前記ｋの値が（Ｘ＋Ｈ−１）を超えると（Ｓ３３でＮＯ）、即ち、表示画面における全ての出力Noについての処理が終了すると、クロスポイントマークの表示制御に係る処理は終了する。
【００９０】
このようにして、初期画面の表示時、及び表示画面がスクロールされる毎に、図２に示すように、表示画面の各出力項目（出力サービスボタン群２３４の各ボタンに対応）とその出力項目に対応した放送出力列に提供される入力放送素材（入力素材ボタン群２３２のボタン）に対応した入力素材項目との対応関係を表すクロスポイントマーク（２４０、２４１）がマトリクス表示部２３１０に表示される。このように、マトリクス表示部２３１０に、各放送出力列（放送番組）に提供される入力放送素材がクロスポイントマークとしてマトリクス表示部２３１０に表示されるので、オペレータは、この表示画面を見ることで、デジタル放送の現在の運行状況を即座に把握することができる。
【００９１】
また、表示画面上に表示される入力素材項目及び出力項目と、スイッチャ１２０の入力端子及び出力端子との関係を設定ファイルに定義し、その関係が画面状態テーブルに反映されるようになっているので、表示画面上に表示される入力素材項目及び出力項目の配列順序は、スイッチャ１２０の入力端子に実際に入力する入力放送素材及び出力端子に実際に割り当てられた放送出力列の配列順序に制限されることなく自由に設定することができる。例えば、優先度に応じて各放送出力列をカテゴリ毎にグループ分けすると共にその優先度に応じてそのカテゴリを配列（カテゴリNo）することにより、表示画面（入力素材項目と出力項目とのマトリクス表示画面）には前述したスクロールによって、優先度の順番に従って各カテゴリの放送出力列に供給される入力放送素材の状態を順次表示させることができるようになる。従って、より操作性の良い、また、モニタ効率の良いデジタル放送マスターシステム２００を構築することが可能となる。
【００９２】
次に、水平スクロールバー２３６における水平表示ポイント２３６ｂの表示制御について説明する。
【００９３】
図１０は、水平表示ポイント２３６ｂの表示手法を概略的に示している。
【００９４】
図１０において、クロスポイントマークの表示制御と同様に、入力素材項目及び出力項目のそれぞれについての画面状態テーブル及びタリー情報に基づいて、水平表示ポイント２３６ｂの表示制御がなされる。
【００９５】
出力項目が選択されると、出力項目についての画面状態テーブルにおいて、その選択された出力項目の通し番号No（出力No.３）に対応する放送出力列に割り当てられた出力側の実結線番号（No.３）が取得され、タリー情報においてその出力側の実結線番号（No.３）に対応した入力側の実結線番号（No.６）が取得される。そして、入力素材項目に係る画面状態テーブルにおいて、前記入力側の実結線番号（No.６）に対応した入力放送素材を表す入力素材項目の通し番号No（入力No.５）が取得される。画面状態テーブルに設定された入力素材項目の総数Ｎと前記入力No.を用いて、水平スクロールバー２３６における入力No／Ｎの位置に水平表示ポイント２３６ｂを表示させる。水平表示ポイント２３６ｂの水平スクロールバー２３６上での位置（入力No／Ｎ）は、配列された全ての入力素材項目における前記選択された放送出力列に提供される入力放送素材に対応した入力素材項目の相対的な位置を表すことになる。
【００９６】
水平表示ポイント２３６ｂの表示制御は、具体的に、図１１に示す手順に従ってなされる。
【００９７】
図１１において、出力サービスボタン群２４３のボタンを操作することにより選択された出力項目の画面状態テーブル上での通し番号No、即ち、出力No.ｋが取得され（Ｓ５１）、その画像状態テーブルから前記出力No.kで特定される出力項目に対応した出力サービスに割り当てられた実結線番号が取得される（Ｓ５２）。なお、その選択された出力項目に対応したマトリクス表示部２３１０における横線が強調して表示される（図２におけるHD-V SUP）に対応した横破線参照）。そして、タリー情報から、その取得された実結線番号に対応した入力放送素材についての実結線番号Ｘが取得される（Ｓ５３）。
【００９８】
次いで、入力Noの値ｍが１に初期化され（Ｓ５４）、その値ｍが入力素材総数以下であるか否かが判定される（Ｓ５５）。その値ｍが入力素材総数以下であれば（Ｓ５５でＹＥＳ）、入力項目についての画面状態テーブルで入力No.ｍ（通し番号No＝ｍ）で特定される入力素材項目に対応した入力放送素材の実結線番号が前記取得された実結線番号Ｘに一致するか否かが判定される（Ｓ５６）。それらが一致しない場合、前記値ｍを＋１だけインクリメントし（Ｓ５７）、前述したのと同様の処理（Ｓ５５、Ｓ５６）が実行される。以後、同様に、前記値ｍを＋１だけインクリメントする毎に、前述した処理（Ｓ５５、Ｓ５６）が実行される。その過程で、入力No.mに対応した入力放送素材の実結線番号が前記取得された実結線番号Ｘに一致するとの判定がなされると（Ｓ５６でＹＥＳ）、ｍ／入力素材総数の値が演算され、水平スクロールバー２３６上の前記値（ｍ／入力素材総数）に対応する位置に水平表示ポイント２３６ｂが表示される（Ｓ５８）。その後、処理は終了する。
【００９９】
前記値（ｍ／入力素材総数）は、水平スクロールバー２３６を入力素材総数に対応付けた場合における当該入力No.ｍで特定される入力素材項目の相対的な位置を表すことになる。前記選択された出力項目を特定する出力No.kと、その出力項目に対応した放送出力列に提供される入力放送素材に対応した入力素材項目を特定する入力No.mとで決まるマトリクス表示部２３１０上の格子点には、前述したようにクロスポイントマークが表示される。従って、図２に示すような表示画面を見ているオペレータは、クロスポイントマーク２４０によって選択した出力項目（HD-V SUP）に対応した放送出力列に提供される入力放送素材（入力素材項目（N2a））を一目にて確認することができ、更に、配列された全ての入力素材項目の中でのその入力素材項目（N2a）の相対的な位置が水平スクロールバー２３６に表示される水平表示ポイント２３６ｂにて一目して確認することができる。
【０１００】
次に、垂直スクロールバー２３７における垂直表示ポイント（２３７ｂ、２３７ｃ、２３７ｄ、２３７ｅ）の表示制御について説明する。
【０１０１】
図１２は、垂直表示ポイントの表示手法を概略的に示している。
【０１０２】
図１２において、前述した水平表示ポイントの表示制御と同様に、入力素材項目及び出力項目のそれぞれについての画面状態テーブル及びタリー情報に基づいて、垂直表示ポイントの表示制御がなされる。
【０１０３】
入力素材項目が選択されると、入力素材項目についての画面状態テーブルにおいて、その選択された入力素材項目の通し番号No（入力No.５）に対応付けられたその入力側の実結線番号（No.６）が出力され、タリー情報においてその入力側の実結線番号（No.６）に対応した出力側の全ての実結線番号（No.２、No.３、No.６）が取得される。そして、出力項目に係る画面状態テーブルにおいて、前記取得された各実結線番号（No.２、No.３、No.６）に対応した放送出力列を表す出力項目の通し番号No（出力No.２、No.３、No.６）が取得される。画面状態テーブルに設定された出力項目の総数Ｍと前記各出力Noを用いて、垂直スクロールバー２３７における出力No／Ｍ（２／Ｍ、３／Ｍ、６／Ｍ）の各位置に垂直表示ポイントを表示させる。各垂直表示ポイントの垂直スクロールバー２３７上での位置（出力No／Ｍ）は、配列された全ての出力項目における前記選択された入力放送素材が提供される放送出力列に対応した出力項目の相対的位置を表すことになる。
【０１０４】
垂直表示ポイントの表示制御は、具体的に、図１３に示す手順に従ってなされる。
【０１０５】
図１３において、入力素材ボタン群２３２のボタン操作を行うことにより選択された入力素材項目の画面状態テーブル上での通し番号No、即ち、入力No.kが取得される（Ｓ６１）。そして、その画面状態テーブルから前記入力No.kで特定される入力素材項目に対応した入力放送素材の実結線番号Ｘが取得され（Ｓ６２）、タリー情報Noの値ｍが１に初期化される（Ｓ６３）。
【０１０６】
前記タリー情報Noの値ｍがタリー情報総数以下であるか否かが判定される（Ｓ６４）。その値ｍがタリー情報総数以下であるとの判定がなされると（Ｓ６４でＹＥＳ）、タリー情報番号No.ｍに対応した入力側実結線番号が前記取得した実結線番号Ｘに一致するか否かが判定される（Ｓ６５）。それらが一致しないとの判定がなされると（Ｓ６５でＮＯ）、前記値ｍが＋１だけインクリメントされ（Ｓ６６）、前述したのと同様の処理（Ｓ６４、Ｓ６５）が実行される。以後、同様に、前記値ｍを＋１だけインクリメントする毎に、同様の処理（Ｓ６４、Ｓ６５）が実行される。その過程で、前記タリー情報番号No.ｍに対応した入力側実結線番号が前記取得した実結線番号Ｘに一致するとの判定がなされると（Ｓ６５でＹＥＳ）、前記タリー情報番号No.ｍに対応した出力側実結線番号Ｙが取得され（Ｓ６６７、出力Noの値ｎが１に初期化される（Ｓ６８）。
【０１０７】
そして、前記値ｎが設定された出力サービス総数以下であるか否かが判定される（Ｓ６９）。その値ｎが出力項目総数以下であるとの判定がなされると（Ｓ６９でＹＥＳ）、更に、出力項目についての画面状態テーブルにおいて、出力No.ｎに対応した実結線番号が前記取得された出力側実結線番号Ｙに一致するか否かが判定される（Ｓ７０）。それらが一致しないとの判定がなされると（Ｓ７０でＮＯ）、前記値ｎが＋１だけインクリメントされ（Ｓ７１）、前述したのと同様の処理（Ｓ６９、Ｓ７０）が行なわれる。以後、同様に、前記値ｎを＋１だけインクリメントする毎に、同様の処理（Ｓ６９、７０）が実行される。その過程で、出力項目についての画面状態テーブルにおいて、出力No.ｎに対応した実結線番号が前記取得された出力側実結線番号Ｙに一致するとの判定がなされると（Ｓ７０でＹＥＳ）、ｎ／出力項目総数の値が演算され、垂直スクロールバー２３７上の前記値（ｎ／出力項目総数）に対応する位置に垂直表示ポイントが表示される（Ｓ７２）。
【０１０８】
その後、または、前記処理（Ｓ６９、Ｓ７０、Ｓ７１）を繰り返し実行する過程で、前記インクリメントされる値ｎで特定される出力No.ｎが出力項目総数を超えると（Ｓ６９でＮＯ）、再び、前記タリー情報番号Ｎoの値ｍが＋１だけインクリメントされ（Ｓ６６）、次のタリー情報番号No.ｍについて同様の処理（Ｓ６４〜Ｓ７２）が実行される。その過程で、出力項目についての画面状態テーブルにおいて、出力No.ｎに対応した実結線番号がタリー情報における前述した出力側実結線番号Ｙに一致するとの判定がなされると（Ｓ７０でＹＥＳ）、前述したのと同様に、垂直スクロールバー２３７上の値（ｎ／出力項目総数）に対応する位置に垂直表示ポイントが表示される（Ｓ７２）。また、前述した処理（Ｓ６４〜Ｓ７２）の過程で、タリー情報No.ｍを特定する値ｍがタリー情報総数を超えたとの判定がなされると（Ｓ６４でＹＥＳ）、即ち、全てのタリー情報についての処理が終了したとの判定がなされると、垂直表示ポイントの表示制御に係る処理は終了する。
【０１０９】
このような処理により、指定された入力素材項目に対応する入力放送素材が提供される各放送出力列に対応した出力項目の全出力項目の配列領域内での相対的な位置が垂直表示ポイント２３７ｂ、２３７ｃ、２３７ｄ、２３７ｅの垂直スクロールバー２７３上での位置として表示される。従って、図２に示すような表示画面を見ているオペレータは、前述したクロスポイントマーク２４０、２４１で特定される選択入力素材項目（N2a）に対応した出力項目（HD-V SUP、HD-V OL）の他に、その選択入力素材項目に対応した入力放送素材が提供される他の放送出力列に対応した出力項目の大まかな配列位置を垂直スクロールバー２３７上に表示される垂直表示ポイント２７３ｄ、２７３ｅによって知ることができる。
【０１１０】
前述したような、スクロール、クロスポイントマークの表示、水平表示ポイント及び垂直表示ポイントの表示がなされる図２に示すような表示画面が表示される機能（表示制御部２３０、表示ユニット２３１）を備えたデジタル放送マスターシステムでは、放送出力列の数（放送番組数）や入力放送素材の数が増大しても、的確、かつ効率的に各放送出力列に提供される入力放送素材の確認、切替えを行なうことができるようになる。
【０１１１】
なお、前述した各表示制御は、特に、マトリクス状に表示される表示画面でなくても適用することができ、また、デジタル放送マスターシステム以外のモニタシステムや表示システムに適用することも可能である。
【産業上の利用可能性】
【０１１２】
本発明に係る表示制御装置及びによれば、表示すべき複数の表示項目の配列態様に応じたスクロールが可能となるという効果を有し、複数の項目を表示画面に表示させるための表示制御装置及びその方法として有用である。
【図面の簡単な説明】
【０１１３】
【図１】本発明の実施の形態に係るデジタル放送マスターシステムの構成を示すブロック図
【図２】デジタル放送マスターシステムにおけるタッチパネルを含む画面表示例を示す図
【図３】カテゴリボタンの画面配置例を示す図
【図４】設定ファイルから画像状態テーブル、スクロール位置テーブル及びカテゴリ先頭テーブルの作成手法を概略的に示す図
【図５】前記画面状態テーブルの作成手順を示すフローチャート
【図６】前記スクロール位置テーブル及びカテゴリ先頭テーブルの作成手順を示すフローチャート（その１）
【図７】前記スクロール位置テーブル及びカテゴリ先頭テーブルの作成手順を示すフローチャート（その１）
【図８】前記クロスポイントマークの表示手法を概略的に示す図
【図９】クロスポイントマークの表示制御の処理手順を示すフローチャート
【図１０】水平表示ポイントの表示手法を概略的に示す図
【図１１】水平表示ポイント２３６ｂの表示制御の処理手順を示すフローチャート
【図１２】垂直表示ポイントの表示手法を概略的に示す図
【図１３】垂直表示ポイントの表示制御の処理手順を示すフローチャート
【符号の説明】
【０１１４】
１００  放送情報作成システム
１１１  ネット素材ユニット
１１２  スタジオ素材ユニット
１１３  リモート素材ユニット
１１４  番組バンク素材ユニット
１１５  ＣＭバンク素材ユニット
１１６  ＶＴＲ素材ユニット
１２０  スイッチャ
１３１、１３２  効果処理装置（ＤＳＫ）
１４１、１４２  符号化装置（ＥＮＣ）
１５１  ＳＩ送出装置
１５２  データ放送送出装置
１５３  字幕送出装置
１６０  多重化装置（ＭＵＸ）
１７０  コンテンツ保護装置（ＲＭＰ）
２００  デジタル放送マスターシステム（放送管理システム）
２１０  自動運行制御装置（ＡＰＣ）
２１１  データサーバ（ＤＳ）
２２０  手動制御装置（ＴＰＣ）
２３０  表示制御部
２３１  表示ユニット（タッチパネル）
２３２  入力素材ボタン（群）
２３３ａ、２３３ｂ  水平スクロールボタン
２３４  出力選択ボタン（群）
２３５ａ、２３５ｂ  垂直スクロールボタン
２３６  水平スクロールバー
２３６ａ  水平表示バー
２３６ｂ  水平表示ポイント
２３７  垂直スクロールバー
２３７ａ  垂直表示バー
２３７ｂ、２３７ｃ、２３７ｄ、２３７ｅ  垂直表示ポイント
２４０  クロスポイントマーク
【図１】
2005151313.tif 000003
【図２】
2005151313.tif 000004
【図３】
2005151313.tif 000005
【図４】
2005151313.tif 000006
【図５】
2005151313.tif 000007
【図６】
2005151313.tif 000008
【図７】
2005151313.tif 000009
【図８】
2005151313.tif 000010
【図９】
2005151313.tif 000011
【図１０】
2005151313.tif 000012
【図１１】
2005151313.tif 000013
【図１２】
2005151313.tif 000014
【図１３】
2005151313.tif 000015